(57)【特許請求の範囲】
【請求項１】
アルミニウム合金を材料にして上下の横枠と左右の縦枠から矩形に形成してなる外枠は前記左右の縦枠の間に下枠板を横架して内枠収納枠部と前飾り板装着枠部とを形成し、前記内枠収納枠部の前記上横枠、左右の縦枠及び前記下枠板の各前縁部を同一平面上に揃え、また前記左右の縦枠には奥行幅の中間位置から、上横枠及び下枠板には前記前縁部からそれぞれ補強用リブを突設すると共に内枠収納枠部の各コーナー部において前後に食い違いになるこれら補強用リブの端部同士を接続部を介して一体に連結し前記内側面に沿って環状の不正防止壁を構築し、一方、前記内枠収納枠部に収められる内枠は左右の縁部を前記内枠収納枠部の左右の縦枠の内側面と対面させてその後部を前記内枠収納枠部の前記左右の縦枠に形成する前記補強用リブに対設させると共に、該内枠の前縁部には全周に亘って外方に張り出す鍔形の拡張部を形成し、閉塞時に該拡張部を前記外枠の上下の横枠においてはそれぞれ前記補強用リブの前面に、また左右の縦枠においてはその前縁部に各当接してそれぞれの召し合わせ部を塞ぐようにしたことを特徴とする遊技機。
【請求項２】
請求項１に記載の遊技機において、内枠収納枠部を構成する上横枠と左右の縦枠及び下枠板の各左端には内枠の左端上下に備えるヒンジ部を枢着するヒンジ受部を上下相対向する如く一体に形成すると共に、前記下枠板における補強用リブは上記ヒンジ受部に隣接した左端を左縦枠に形成する補強用リブの位置まで後退させて一体に接続し、該接続部の前方に内枠の回動域を形成してなることを特徴とした遊技機。
【発明の詳細な説明】
【技術分野】
【０００１】
本発明は、パチンコ機等の遊技機、ことに不正防止構造を改善した遊技機に関する。
【背景技術】
【０００２】
パチンコ機やパチスロ機は、機構部品類を装着する内枠を外枠に取付け、この外枠を介して遊技場（ホール）に備える取付台に固定し、機構部品類の保守，点検時にはこの外枠を固定したまゝ内枠をヒンジ部を支点にして回動させ、引き出して内枠の背面側に設備する部品類を露出するようにしている。
従来、この種遊技機における外枠は、木板を矩形に組んだ木製外枠が一般的であったが、材料の入手が困難になる問題や製造コストの問題、製品精度の問題等から合成樹脂を材料にした外枠や、アルミニウム合金を材料にした外枠が提供され、実用化されるに至っている。
【０００３】
合成樹脂製やアルミニウム合金製の外枠は、成型機による一体成形ができることから金型によってかなりの精度を出すことができ、木製にはない特性を発揮するものとなっているが、この種外枠においては通常材料の節約と軽量化を図る上から内枠を支持することができる強度を限界として材料節約型の構造が選択されている。
一方、外枠には装着する内枠の機構部品類に対する不正行為、例えばピアノ線の差し入れによる賞球の不正放出行為等を防止するため、内枠との召し合せ部分、つまり内枠を閉塞したときに生じる外枠との隙間部分に障壁を設け、遊技機の使用時に内外枠の隙間からピアノ線等の侵入ができないようにしているのが普通である。
【０００４】
この障壁を設けることは、不正行為の防止の上からこの種遊技機において一般的なことであり、特に例を挙げることもないが、例えるならば特許文献１に記載のもの、また材料を合成樹脂とするものについては、特許文献２に記載のものを挙げることができる。
【特許文献１】特開２００３−３４００７９号公報。
【特許文献２】特開平  ８−２７６０５７号公報。
【０００５】
特許文献１に記載のものは、外枠１０の幕板本体２１と内枠である前枠３０との召し合せ部分の空隙を塞ぐため、幕板本体２１の上面に上面カバー２３を固定し、これから立設する縦壁２３ｂ、つまり障壁によって前面側から差し込まれる不正器具の進路を変えて不正行為を防止しようとするものである。
また、特許文献２に記載のものは、内外枠を合成樹脂を材料にしたもので、ここでは外枠４の前面接合部分に前方に開口する受け凹溝５１を形成し、内枠３の背面側には金属プレート５５ａ，５５ｂ，５５ｃ，５５ｄを設けて内枠を閉じたとき、この金属プレートを前記外枠４の受け凹溝５１に嵌合し、両枠間の隙間を埋め、防犯する構造のものにしてある。
【０００６】
この様に、従来から外枠と内枠の隙間を通して行なわれる不正行為を防止する手段として両枠の召し合せ部分に折り返し部分を形成してピアノ線等の不正器具の直線的な侵入を阻止する構造が採用されており、それぞれ所定の効果を挙げるものとなっているが、しかし、この屈曲する折り返し部分の形成は外枠を形成する素材によって同じものとはならず異なる対応が求められることになる。
つまり、前記特許文献１についてみれば、外枠１０が木製であることから別体に形成する上面カバー２３をビス２４で固定するものとなり、また特許文献２についてみれば、外枠４を合成樹脂で形成することから前面の接合部分（召し合せ部）に形成する受け凹部５１は前方に開口するものとして形成することが可能になっている。
【０００７】
しかし、外枠の材料をアルミニウム合金とした場合は、アルミニウムのダイキャストによって一体成形を可能にしても前記木材を材料にした外枠と同じ構造を採用することは不可能であり、また成形法を同じ一体成形法を採用するにしても合成樹脂による外枠と同じ構造にすることは構造が複雑化するばかりか素材を効果的に活用する上からも必ずしも好ましいものとはならない。
【発明の開示】
【発明が解決しようとする課題】
【０００８】
本発明は、上記従来の事情に鑑み、特にアルミニウム合金を材料に成形される遊技機の外枠において、アルミニウム合金のもつ優れた成形性を活かしつつ、構造の補強手段を不正防止手段に組入れ、この両者を両立させながら適正な外枠とするアルミニウム合金を材料に成形される遊技機を提供しようとするものである。
アルミニウム合金を材料とする場合、構造物においては当然のことながら、材料節約の上から可能な限り肉薄にし、これを補って要所に補強用リブを配置し、これによりその強度を確保することになるが、本発明はこの補強用リブを防犯用の障壁に活用し、より精度の高い不正防止壁を有する遊技機を提供しようとするものである。
【課題を解決するための手段】
【０００９】
本発明は上記目的を達成するため、アルミニウム合金を材料に成形される外枠にあって、矩形の外枠本体部を形成する左右の縦枠の間に下枠板を横架し、この外枠本体部の内部を上部の内枠収納枠部と下部の前飾り板装着枠部とに仕切り、その一方、この内枠収納枠部を構成する上横枠と前記左右の縦枠及び前記下枠板の各内側面に内向きに突き出す補強用リブをそれぞれ長さの全長に亘って突設すると共に、この内枠収納枠部の各コーナー部において衝き合う上記補強用リブの端部同士を一体に接続して前記内側面に沿って連続した環状の不正防止壁を構築したことにある。
本発明は、これにより外枠本体部の強度を高めると同時に、上記不正防止壁によって内枠収納枠部内に閉じ込められる内枠の周縁部を囲み、内外両枠間にできる空隙を塞いで不正器具の侵入を防止するようにしたことにある。
【００１０】
上記外枠本体部は、下部に前飾り板装着枠部を形成することによって外枠本体部自体の強度を高めることになると同時に、上部の内枠収納枠部を形成する上横枠と左右の縦枠、そして下枠板の各内側面にそれぞれ長さの全長に亘って内向きの補強用リブを一体に突設することによって充分な強度を確保することができるものとなる。
従って、この補強用リブの形成によって、各枠部における肉厚を減じて軽量化を図ることができると共に、この補強用リブの連続によって内枠収納枠部内には環状の不正防止壁が構築され、前面側から閉じ込められる内枠の周縁部を当接して囲み込むことにより、この内外の枠の隙間を通して行なわれる不正行為を有効に防止することになる。              
【００１１】
更に言えば、本発明は前記内枠収納枠部について、該内枠収納枠部を構成する上横枠と左右の縦枠及び下枠板はそれぞれの前縁部を同一平面上に揃える一方、それぞれの補強用リブを左右の縦枠においては奥行幅の中間位置から、また上横枠及び下枠板においてはそれぞれ前縁部から各立設し、内枠収納枠部の各コーナー部において補強用リブの端部同士を接続部で一体に連結することによって連続した環状の不正防止壁を構築し、この不正防止壁によって内枠の周縁を囲み不正器具の侵入を防止するを特徴とした遊技機を提供することにある。
【００１２】
また本発明は、前記外枠の内枠収納枠部を構成する上横枠と左右の縦枠及び下枠板の各左端には内枠の左端上下に備えるヒンジ部を枢着するヒンジ受部を上下相対向する如く一体に形成すると共に、前記下枠板における補強用リブは上記ヒンジ受部に隣接した左端を左縦枠に形成する補強用リブの位置まで後退させて一体に接続し、該接続部の前方に内枠の回動域を形成してなることを特徴とした遊技機を提供することにある。
【００１３】
ところで、上記内枠収納枠部に形成される補強用リブは、各枠部を補強するためと、不正行為防止の目的をもつことから、内枠の収まりを阻害しない範囲で高さを決定することになる。その選択として例えば、ピアノ線等による不正行為防止の上からは肉厚を抑えて高い突き出し状態に形成し、ピアノ線等の侵入路を大きく屈折させるようにすると言った選択がなされる。
【００１４】
この補強用リブは、内枠収納枠部の上横枠、左右の縦枠、下枠板において内側面から内方に向けて突出する如く形成することになる。これにより枠部の前方から閉じられる内枠の周縁部の背面を受け止め、内外両枠の隙間を通して前方から侵入するピアノ線等の不正器具を受け止め、直線的侵入を阻止し、更に押込まれたとき、その先端をリブの内側に向けて誘導し、直角に折曲げて後方への侵入を阻止する。
【００１５】
また、この補強用リブは内枠収納枠部の内周を囲んで環状に形成することによって内枠の周縁部全周に亘って取り囲む構造となり、不正器具の侵入場所の選択を許さず、より確実な不正防止を計ることができる。
【００１６】
勿論、この補強用リブの形成は、外枠本体部を成形する際に一体的に形成できるものであり、その成形の型もリブが単純に内方に突出するだけの構造であるので複雑な成形型を選択する必要がなく、製造性に優れるものとなる。
【発明の効果】
【００１７】
従って、本発明は上述の如く構成されることから材料であるアルミニウム合金の使用量を最少に抑えた上で、必要な強度を確保した軽量化された外枠が得られることになると同時に、ピアノ線等による不正行為を有効に防止できる不正防止手段を備えた外枠が得られることになる。
しかも、本発明は、軽量化に伴って求められる補強手段である補強用リブが直ちに不正手段として兼用されるものであり、またこの補強用リブが外枠本体部の成形に併せて一体的に形成できるものであるので、別体に形成される場合のように特段の取付を必要とせず、従って製造コストを上げることなく提供できるものとなる。
以下、本発明を図示する実施の態様に従って更に詳述し、その特徴とするところを明らかにする。
【発明を実施するための最良の形態】
【００１８】
図１は本発明に係るパチンコ機に使用される外枠の正面図であり、図２は外枠の前方左側上部から見た斜視図、図３は外枠の前方右側上部から見た斜視図であり、図４は図１のＡ−Ａ線断面図、図５は外枠に内枠を嵌め入れて閉塞した状態の正面図であり、図６は図５のＢ−Ｂ線断面図、図７は図５のＣ−Ｃ線断面図である。
【００１９】
図示するように、外枠１は上下の横枠２，３と左右の縦枠４，５とによって外枠本体部１Ａを縦長の矩形状に形成し、更にこの本体部１Ａの内部を下部に横架する下枠板６によって仕切り、上部に内枠７を受け入れる内枠収納枠部１Ｂを、下部に横長の矩形をなす前飾り板（図示せず）を装着する装着枠部１Ｃを形成する。
【００２０】
上記内枠収納枠部１Ｂは、上の横枠２と、左右の縦枠４，５、そして下枠板６によって矩形の枠に形成してあり、その内周には全周に亘って環状をなすように補強用リブ８，９と１０，１１が配置される。
上記補強用リブのうち、補強用リブ８は上の横枠２の前縁部に沿って内側面の全長に亘り内向に突き出すように形成され、また補強用リブ９は下枠板６の前縁部に沿って内側面から内向きに突出すように設けられる。
【００２１】
一方、左右の補強用リブ１０，１１はそれぞれ左右の縦枠４，５の各内側面から内向きに起立する如く全長に亘り形成される。
この左右の補強用リブ１０，１１は縦枠４，５の前縁部から後に後退した位置に設けてあり、その後退幅は外枠１に対して内枠７を閉じたとき、この内枠７の左右の縁部が内枠収納枠部１Ｂ内に入り込み各縦枠の内側面と対面することができる幅にしてある。そして更に、この左右の縦枠４，５にあっては内枠７の縁部との間に前後方向に向く閉じ合せ面が形成され、この閉じ合せ面の奥、つまり後方において前記補強用リブ１０，１１が起立することで前記前後方向の隙間が塞がれるようにしてある。
【００２２】
ところで、前述したように上下の横枠２，３の補強用リブ８，９はそれぞれ前縁部に沿って突設されるのに対して、縦枠４，５に形成される補強用リブ１０，１１は各内側面の後退した位置に突設されることから、各補強用リブ８，９，１０，１１は同一平面上に揃っていないことになる。
図中１２ａ，１２ｂ，１２ｃ，１２ｄは、この補強用リブ相互の不揃い状態をリブの端部同士が衝き合う内枠収納枠部１Ｂの各コーナー部１３ａ，１３ｂ，１３ｃ，１３ｄにおいて接続する接続部である。これらの接続部の介入によって４つの補強用リブ８，９，１０，１１は環状に連続し、これらの集合によって不正防止壁１４が形成される。
【００２３】
尚、上記接続部のうち下枠板６の前縁部に沿って形成される補強用リブ９と左の縦枠４に沿って形成される補強用リブ１０とを接続する接続部１２ｂは、コーナー部１３ｂに臨む下枠板６の補強用リブ９の端部を後方に所要の幅後退させ、これにより該部分に後述する内枠７のための回動域１５を形成する。
【００２４】
一方、前記装着枠部１Ｃは、前述したように外枠１の内部に下枠板６を渡すことによって形成されるが、更にこの下枠板６の前縁部と下横枠３の前縁部から上下相対向する如く突片１６ａ，１６ｂを突設し、左右の縦枠４，５の各前縁部から突片１６ｃ，１６ｄを各延設して前方に矩形の枠部を形成しており、これに浅い箱形に形成する前飾り板（図示せず）を嵌め付けることで装着することができるようにしてある。
【００２５】
さて、上記外枠１はその全体をアルミニウム合金を材料にダイキャスト製法により一体成形することになる。この成形時に内枠収納枠部１Ｂの左方のコーナー部１３ａ，１３ｂに内枠７を枢着するヒンジ受部１７，１８を形成する。
上のヒンジ受部１７は、図１２，図１３に示したように内枠７の左側部上端に設けるヒンジ部１９の支軸２０を受ける軸受部２１を有し、また、下のヒンジ受部１８は図２，図３，図９に示したように上向きに支軸２２を突設し、この支軸２２を内枠７の左側部下端に設けるヒンジ部２３の軸受部２４に軸承することによって、この上下の支軸２０，２２を支点にして内枠７を開閉自由に枢着支持することになる。
【００２６】
内枠７は、図５乃至図７に示すように外枠１の前記内枠収納枠部１Ｂの内周に収まる矩形の枠に形成してあり、ここでは外枠１と同様にアルミニウム合金を材料に浅い箱形に形成し、内部に図示しない遊技盤を収容する収納空間２５と、遊技盤の背面に装置するセーフ球集合室等を収める収納空間２６を前後に配置し一体に備えている。
図面には、内枠７の本体部分を明確にするため、この本体部分の前面に一体に止着される額縁形をなす枠板と、この枠板に固定されるガラス枠、更に、この枠板の下方に装着される賞球皿、打球発射装置の操作用ハンドル等を備える前面板を省略している。
【００２７】
従って厳密に言うと、上記内枠７は、矩形に形成する本体部分を内枠収納枠部１Ｂの内側に完全に嵌め込める大きさに形成することになっているが、この内枠収納枠部１Ｂの内側面との間には開閉操作時の動作を妨げない範囲の空隙を残して密閉できるものとしている。そして、この内枠７の前縁部には外方に鍔形に拡張する拡張部２７を全周に亘って形成してある。
上記拡張部２７は、内枠の閉塞時に上縁部において外枠１の補強用リブ８の前面に、下縁部において外枠１の下枠板６に設ける補強用リブ９の前面に各当接させ、左右の縁部においては外枠の左右の縦枠４，５の各前縁部にそれぞれ当接させるようにしている。
【００２８】
尚、上記内枠７は、ここでは左側縁部に金属製の補強板２８を添わせ、この補強板２８を前記外枠１の左縦枠４の内側面に設ける補強用リブ１０との間に介在させて内枠７との空隙を塞ぐと共に、右側縁部には施錠装置２９を添わせて外枠１の右縦枠５の内側面に立設する補強用リブ１１との間に介在させてこの間の空隙を塞ぐようにしている。
【００２９】
上記補強板２８は、内枠７の左の側縁部の長さに合せてあり、上下に設ける取付片３０，３１と折曲げ片３２をそれぞれ内枠７に対して直接ビス止めすることで固定し、また施錠装置２９は断面Ｌ字形に形成した取付基板３３の一片を前記内枠の拡張部２７の背面に固定してそれぞれ補強用リブ１０，１１に臨むにしてある。
ここで、図中３４はロータリー式の鍵手段であり、３５は鍵係止片、３６は鍵手段３４の解錠操作を鍵係止片３５に伝える連動リンク部材で、３７は鍵係止片３５を常時施錠方向に付勢するばねを示す。
【００３０】
本発明に係る外枠１は、内枠収納枠部１Ｂの左縦枠４の上下に備えるヒンジ受部１７，１８を介して開閉自由に枢着する内枠７を閉じたとき、その本体部分を内枠収納枠部１Ｂの内側に受け入れることになる。それと同時に、この内枠７の前縁部に沿って設ける鍔形の拡張部２７を上横枠２の補強用リブ８と下枠板６の補強用リブ９の前面に、そして外枠１の左右の縦枠４，５に対してはそれぞれの前縁部に各当接することによりこの内枠７と外枠１との召し合せ部を塞ぎ、この間に生ずる空隙を被うことになる。
【００３１】
その一方、外枠１は左右の縦枠４，５の各内側面に突設した補強用リブ１０，１１を内枠７の左右の側面に向けて突き出すことによりこの側面との間に発生する空隙を塞ぎ前面側から真直に差し込まれるピアノ線等の不正器具の先端をこれら補強用リブ１０，１１で受け止め、内枠７の背面側に装置される賞球装置等への不正行為を阻止することになる。
【００３２】
更に、本発明においては、外枠１の内枠収納枠部１Ｂに形成される補強用リブ８乃至１１が互いに衝き合うコーナー部１３ａ〜１３ｄにおいて接続部１２ａ〜１２ｄを介して連続し、環状の不正防止壁１４を構成して内枠７の全周を囲む構造に係ることから内外の枠１，７の全ての召し合せ部分を防護することになり、不正行為を完全に阻止することができる。
【００３３】
この様に、本発明の外枠は補強用リブ８乃至１１からなる不正防止壁１４によって内枠７との空隙を塞ぎ、不正器具の侵入を防止する一方、上記補強用リブ８乃至１１は外枠１を構成する内の上横枠２、左右の縦枠４，５、下枠板６をそれぞれ補強するものであり、且つ、これらとの一体成形によって設けられるものであるから、アルミニウム合金を材料に成形される本発明の外枠にあっては前記不正防止壁１４を独立に形成する必要がなく、従って製造コストを上げることもなく製造をすることができる利点がある。
【００３４】
また、各部の補強用リブ８乃至１１は上横枠２や左右の縦枠４，５において、それぞれ補強のための適切な部所に配置形成することができるので、外枠１として最適な補強を行うことができると同時に、各補強用リブは肉厚等を調整し、軽量化を図った上で適宜の高さに設定できることから内枠７の外側面に対して最も適切な状態で臨むように設置することができ、両者間に生じる空隙を有効に閉ざすことができる。
【００３５】
しかも、内枠収納枠部１Ｂに配置される全ての補強用リブ８乃至１１は、接続部１２ａ乃至１２ｄによって完全に接続され、相互間の隙間を埋めると同時に、内枠７の枢着側回転部においては補強用リブ９を後退させて回動域１５を形成し、リブ９，１０の連続を確保しつつこの接続部１２ｂによる内枠７の開閉動の妨げとならないようにしてあることから内枠７の支持に全く支障とならないものとなっている。  
【図面の簡単な説明】
【００３６】
【図１】本発明に係る遊技機の外枠の正面図。
【図２】前方左側上部から見た外枠の斜視図。
【図３】前方右側上部から見た外枠の斜視図。
【図４】図１のＡ−Ａ線断面図。
【図５】外枠に内枠を嵌め入れて閉塞した状態の正面図。
【図６】図５のＢ−Ｂ線断面図。
【図７】図５のＣ−Ｃ線断面図。
【図８】図６のイ部の拡大図。
【図９】図６のイ部において内枠を除いた外枠のみを示す拡大図。
【図１０】図６のロ部の拡大図。
【図１１】図６のロ部において内枠を除いた外枠のみを示す拡大図。
【図１２】図７のハ部の拡大図。
【図１３】図７のハ部において内枠を除いた外枠のみを示す拡大図。
【図１４】図７のニ部の拡大図。
【図１５】図７のニ部において内枠を除いた外枠のみを示す拡大図。
【図１６】補強板の斜視図。
【図１７】施錠装置の斜視図である。
【符号の説明】
【００３７】
１            外枠
１Ａ          外枠本体部
１Ｂ          内枠収納枠部
１Ｃ          前飾り板の装着枠部
２            上横枠
３            下横枠
４            左縦枠
５            右縦枠
６            下枠板
７            内枠
８，９，１０，１１                補強用リブ
１２ａ，１２ｂ，１２ｃ，１２ｄ    接続部
１３ａ，１３ｂ，１３ｃ，１３ｄ    内枠収納枠部のコーナー部
１４          不正防止壁
１７，１８    ヒンジ受部
１９，２３    内枠に形成するヒンジ部
２７          内枠の前縁部に沿って設けた拡張部
【図１】
0004833677.tif 000002
【図２】
0004833677.tif 000003
【図３】
0004833677.tif 000004
【図４】
0004833677.tif 000005
【図５】
0004833677.tif 000006
【図６】
0004833677.tif 000007
【図７】
0004833677.tif 000008
【図８】
0004833677.tif 000009
【図９】
0004833677.tif 000010
【図１０】
0004833677.tif 000011
【図１１】
0004833677.tif 000012
【図１２】
0004833677.tif 000013
【図１３】
0004833677.tif 000014
【図１４】
0004833677.tif 000015
【図１５】
0004833677.tif 000016
【図１６】
0004833677.tif 000017
【図１７】
0004833677.tif 000018